(57)【要約】【課題】情報配信サーバから住宅に設置される情報表示装置に配信される配信情報のユーザによる見逃しを低減する。【解決手段】情報表示装置１は、配信情報取得部１１と配信情報記憶部１２と映像取得部１３と操作取得部１４と表示部１５と表示指示部１６とを備える。配信情報取得部１１は、配信情報を取得し、配信情報記憶部１２は、取得した配信情報を記憶する。映像取得部１３は、住宅Ｈに設置されたドアホン６から伝送される映像信号を取得する。操作取得部１４は、操作入力を取得する。表示部１５は、映像取得部１３が取得した映像信号に基づく映像を含み、ドアホン６と通話するための通話画面を表示する。表示指示部１６は、操作取得部１４から通話を開始させる通話開始の操作信号を受信した場合には、配信情報を閲覧するための配信情報閲覧画面を通話画面の一部に重ねた重畳画面を表示するよう表示部１５に指示する。【選択図】図３
2017212672.tif 000002
【特許請求の範囲】
【請求項１】
外部の情報配信サーバから自身が配置された住宅に向けて配信された配信情報を取得する配信情報取得部と、
前記配信情報取得部が取得した配信情報を記憶する配信情報記憶部と、
前記住宅に設置されたドアホンから伝送される映像信号を取得する映像取得部と、
操作者の操作入力を取得する操作取得部と、
前記映像取得部が取得した映像信号に基づく映像を含み、前記ドアホンと通話するための通話画面を表示する表示部と、
前記操作取得部から通話を開始させる通話開始の操作信号を受信した場合には、配信情報記憶部に記憶された配信情報を閲覧するための配信情報閲覧画面を前記通話画面の一部に重ねた重畳画面を表示するよう前記表示部に指示する表示指示部と、
を備える情報表示装置。
【請求項２】
前記配信情報取得部は、前記操作取得部から前記通話開始の操作信号を受信した場合に、前記外部の情報配信サーバから前記住宅に向けて配信された配信情報を取得する
ことを特徴とする請求項１に記載の情報表示装置。
【請求項３】
前記表示指示部は、前記操作取得部から前記配信情報閲覧画面のいずれかの位置を起点とし、前記配信情報閲覧画面の表示位置を移動させるためのスワイプ操作信号を受信した場合に、前記スワイプ操作信号に含まれる前記表示位置を移動させる方向および量に応じて、前記配信情報閲覧画面の表示位置を移動させるよう前記表示部に指示する
ことを特徴とする請求項１または２に記載の情報表示装置。
【請求項４】
前記表示指示部は、前記操作取得部から前記配信情報閲覧画面のいずれかの位置を起点とし、前記配信情報閲覧画面の表示サイズを縮小させるためのピンチイン操作信号を受信した場合に、前記ピンチイン操作信号に含まれる前記ピンチイン操作の幅に応じて、前記配信情報閲覧画面の表示サイズを縮小させるよう前記表示部に指示し、
前記操作取得部から前配信情報閲覧画面のいずれかの位置を起点とし、前記配信情報閲覧画面の表示サイズを拡大させるためのピンチアウト操作信号を受信した場合に、前記ピンチアウト操作信号に含まれる前記ピンチアウト操作の幅に応じて、前記配信情報閲覧画面の表示サイズを拡大させるよう前記表示部に指示する
ことを特徴とする請求項１から３のいずれか１項に記載の情報表示装置。
【請求項５】
配信情報取得部が外部の情報配信サーバから自身が配置された住宅に向けて配信された配信情報を取得する配信情報取得ステップと、
配信情報記憶部が前記配信情報取得ステップで取得した配信情報を記憶する配信情報記憶ステップと、
映像取得部が前記住宅に設置されたドアホンから伝送される映像信号を取得する映像取得ステップと、
表示指示部が前記ドアホンとの通話を開始させる通話開始の操作信号を受信した場合には、前記配信情報記憶ステップで記憶した配信情報を閲覧するための配信情報閲覧画面を、前記映像取得ステップで取得した映像信号に基づく映像を含み、前記ドアホンと通話するための通話画面の一部に重ねた重畳画面を表示部に表示させる表示指示ステップと、
を有する情報表示方法。
【請求項６】
コンピューターに、
外部の情報配信サーバから自身が配置された住宅に向けて配信された配信情報を取得する配信情報取得ステップ、
前記配信情報取得ステップで取得した配信情報を記憶する配信情報記憶ステップ、
前記住宅に設置されたドアホンから伝送される映像信号を取得する映像取得ステップ、および
前記ドアホンとの通話を開始させる通話開始の操作信号を受信した場合には、前記配信情報記憶ステップで記憶した配信情報を閲覧するための配信情報閲覧画面を、前記映像取得ステップで取得した映像信号に基づく映像を含み、前記ドアホンと通話するための通話画面の一部に重ねた重畳画面を表示部に表示させる表示指示ステップ、
を実行させるためのプログラム。
【発明の詳細な説明】
【技術分野】
【０００１】
本発明は、情報表示装置、情報表示方法およびプログラムに関する。
【背景技術】
【０００２】
近年、家庭内ネットワークが普及したことにより、ネットワーク接続機能を搭載した情報端末を住宅に設置し、情報配信サーバから情報端末に種々の配信情報を配信する情報配信サービスが提供されている。例えば、特許文献１には、ネットワーク接続機能を搭載したインターホン装置を情報端末として使用し、情報配信サーバからインターホン装置が配信情報を受信したときに、配信情報の表示処理を起動する情報配信システムが開示されている。
【先行技術文献】
【特許文献】
【０００３】
【特許文献１】国際公開第２０１１／１１０９０８号（図１）
【発明の概要】
【発明が解決しようとする課題】
【０００４】
しかしながら、特許文献１に提案されている情報配信システムでは、情報配信サーバからインターホン装置が配信情報を受信したときに、居住者がインターホン装置を視認できる場所にいるとは限らず、その場合は居住者に配信情報が通知されず、配信情報を閲覧する機会を逃してしまう。
【０００５】
本発明は上記の課題を解決するためになされたものであり、情報配信サーバから住宅に設置される情報表示装置に配信される配信情報のユーザによる見逃しを低減することを目的とする。
【課題を解決するための手段】
【０００６】
上記の目的を達するため、本発明に係る情報表示装置は、外部の情報配信サーバから自身が配置された住宅に向けて配信された配信情報を取得する配信情報取得部と、配信情報取得部が取得した配信情報を記憶する配信情報記憶部と、住宅に設置されたドアホンから伝送される映像信号を取得する映像取得部と、操作者の操作入力を取得する操作取得部と、映像取得部が取得した映像信号に基づく映像を含み、ドアホンと通話するための通話画面を表示する表示部と、操作取得部から通話を開始させる通話開始の操作信号を受信した場合には、配信情報記憶部に記憶された配信情報を閲覧するための配信情報閲覧画面を通話画面の一部に重ねた重畳画面を表示するよう表示部に指示する表示指示部と、を備える。
【０００７】
また、本発明に係る情報表示方法は、外部の情報配信サーバから自身が配置された住宅に向けて配信される配信情報を取得する配信情報取得ステップと、配信情報取得ステップで取得した配信情報を記憶する配信情報記憶ステップと、住宅に設置されたドアホンから伝送される映像信号を取得する映像取得ステップと、ドアホンとの通話を開始させる通話開始の操作信号を受信した場合には、配信情報記憶ステップで記憶した配信情報を閲覧するための配信情報閲覧画面を、映像取得部ステップで取得した映像信号に基づく映像を含み、ドアホンと通話するための通話画面の一部に重ねた重畳画面を表示部に表示させる表示指示ステップと、を有する。
【０００８】
また、本発明に係るプログラムは、コンピュータに、外部の情報配信サーバから自身が配置された住宅に向けて配信される配信情報を取得する配信情報取得ステップ、配信情報取得ステップで取得した配信情報を記憶する配信情報記憶ステップ、住宅に設置されたドアホンから伝送される映像信号を取得する映像取得ステップ、ドアホンとの通話を開始させる通話開始の操作信号を受信した場合には、配信情報記憶ステップで記憶した配信情報を閲覧するための配信情報閲覧画面を、映像取得部ステップで取得した映像信号に基づく映像を含み、ドアホンと通話するための通話画面の一部に重ねた重畳画面を表示部に表示させる表示指示ステップ、を実行させる。
【発明の効果】
【０００９】
本発明に係る情報表示装置によれば、外部の情報配信サーバから自身が配置された住宅に向けて配信される配信情報を取得する配信情報取得部と、配信情報取得部が取得した配信情報を記憶する配信情報記憶部と、住宅に設置されたドアホンから伝送される映像信号を取得する映像取得部と、操作者の操作入力を取得する操作取得部と、映像取得部が取得した映像信号に基づく映像を含み、ドアホンと通話するための通話画面を表示する表示部と、操作取得部から通話を開始させる通話開始の操作信号を受信した場合には、配信情報記憶部に記憶された配信情報を閲覧するための配信情報閲覧画面を通話画面の一部に重ねた重畳画面を表示するよう表示部に指示する表示指示部と、を備えるので、情報配信サーバから住宅に設置される情報表示装置に配信される配信情報のユーザによる見逃しを低減することができる。
【００１０】
また、本発明に係る情報表示方法は、外部の情報配信サーバから自身が配置された住宅に向けて配信される配信情報を取得する配信情報取得ステップと、配信情報取得ステップで取得した配信情報を記憶する配信情報記憶ステップと、住宅に設置されたドアホンから伝送される映像信号を取得する映像取得ステップと、ドアホンとの通話を開始させる通話開始の操作信号を受信した場合には、配信情報記憶ステップで記憶した配信情報を閲覧するための配信情報閲覧画面を、映像取得部ステップで取得した映像信号に基づく映像を含み、ドアホンと通話するための通話画面の一部に重ねた重畳画面を表示部に表示させる表示指示ステップと、を有するので、情報配信サーバから住宅に設置される情報表示装置に配信される情報のユーザによる見逃しを低減することができる。
【００１１】
また、本発明に係るプログラムは、コンピュータに、外部の情報配信サーバから自身が配置された住宅に向けて配信される配信情報を取得する配信情報取得ステップ、配信情報取得ステップで取得した配信情報を記憶する配信情報記憶ステップ、住宅に設置されたドアホンから伝送される映像信号を取得する映像取得ステップ、ドアホンとの通話を開始させる通話開始の操作信号を受信した場合には、配信情報記憶ステップで記憶した配信情報を閲覧するための配信情報閲覧画面を、映像取得部ステップで取得した映像信号に基づく映像を含み、ドアホンと通話するための通話画面の一部に重ねた重畳画面を表示部に表示させる表示指示ステップ、を実行させるので、情報配信サーバから住宅に設置される情報表示装置に配信される情報のユーザによる見逃しを低減することができる。
【図面の簡単な説明】
【００１２】
【図１】実施の形態１に係る情報表示システムの構成例を示す図である。
【図２】実施の形態１に係るドアホンの要部を機能的に示すブロック図である。
【図３】実施の形態１に係る情報表示装置の機能構成例を示す図である。
【図４】実施の形態１に係る配信情報記憶処理の一例を示すフローチャートである。
【図５】実施の形態１に係る情報表示処理の一例を示すフローチャートである。
【図６】実施の形態１に係る情報表示処理により表示部が表示する通話開始前の画面の例である。
【図７】実施の形態１に係る情報表示処理により表示部が表示する通話中の画面の例である。
【図８】実施の形態１に係る情報表示処理により表示部が表示する重畳画面の例である。
【図９】実施の形態１に係る情報表示処理により表示部が配信情報閲覧画面の表示位置を移動させる重畳画面の例である。
【図１０】実施の形態１に係る情報表示処理により表示部が配信情報閲覧画面の表示サイズを拡大させる重畳画面の例である。
【図１１】実施の形態２に係る情報表示装置の機能構成例を示す図である。
【図１２】実施の形態２に係る情報表示処理の一例を示すフローチャートである。
【図１３】本発明に係る情報表示装置のハードウェア構成例を示す図である。
【発明を実施するための形態】
【００１３】
以下に、本発明を実施するための形態について、図面を参照して詳細に説明する。なお、図中同一または相当する部分には同じ符号を付す。
【００１４】
（実施の形態１）
図１は、本発明の実施の形態１に係る情報表示システムの構成例を示す図である。この情報表示システム１０００は、住宅Ｈの外部に配置されている情報配信サーバ２が住宅Ｈ内に配置されている情報表示装置１００に表示する配信情報を配信可能なシステムである。情報表示システム１０００は、情報表示装置１００と、情報配信サーバ２と、戸内ネットワーク３と、ゲートウェイ４と、外部ネットワーク５と、ドアホン６とで構成される。情報表示装置１００は、住宅Ｈの玄関などに設置されたドアホン６と信号線Ｌで接続され、ドアホン６の親機の機能を備える。
【００１５】
情報表示装置１００は、ドアホン６と接続する以外に、戸内ネットワーク３に接続するための通信インタフェースを備えており、情報表示装置１００とゲートウェイ４とは、戸内ネットワーク３を介して通信可能に接続されている。戸内ネットワーク３の通信方式は何でもよく、Ｅｔｈｅｒｎｅｔ（登録商標）のような有線の通信インタフェースを利用しても良いし、Ｗｉ−Ｆｉ（登録商標）、Ｂｌｕｅｔｏｏｔｈ（登録商標）、ＺｉｇＢｅｅ（登録商標）等の無線インタフェースを利用しても良い。
【００１６】
ゲートウェイ４は、住宅Ｈの適切な場所に設置され、外部ネットワーク５を介して情報配信サーバ２と通信可能に接続されている。情報配信サーバ２から配信される情報である配信情報は、例えば、ニュースや天気予報などであってもよいし、住宅Ｈが属する自治体や、住宅Ｈが集合住宅を成す場合はその管理組織などからの通知、住宅Ｈが契約する電力供給会社から供給される住宅Ｈの電気の使用料金や、電力需給の見通しに関する通知であってもよい。なお、情報表示システム１０００が複数の情報配信サーバ２を含み、それぞれが異なる情報を配信する構成であってもよい。
【００１７】
図２は、実施の形態１に係るドアホン６の要部を機能的に示すブロック図である。
ドアホン６は、撮像部６１、映像送信部６２、操作取得部６３、呼出送信部６４、通話部６５、及び音声送受信部６６を備える。
【００１８】
撮像部６１は、ＣＣＤやＣＭＯＳ等の撮像素子とレンズ等の光学系で構成され、住宅Ｈの来訪者であるドアホン６の使用者を撮像する。映像送信部６２は、撮像部６１が撮像した映像信号を信号線Ｌを介して情報表示装置１００に伝送する。操作取得部６３は、ドアホン６の使用者が図示しないドアホン６の呼出ボタンを押すと、その操作入力を取得し、呼出送信部６４に操作信号を出力する。呼出送信部６４は、操作取得部６３からの操作信号を受信すると、信号線Ｌを介して、呼出信号を情報表示装置１００に送信する。通話部６５は、ドアホン６の使用者が住宅Ｈの居住者等の住宅Ｈが配置された情報表示装置１００の操作者と通話するためのスピーカ、マイクなどで形成される。音声送受信部６６は、信号線Ｌを介して、通話部６５であるマイクで集音した信号を情報表示装置１００に送信するとともに、情報表示装置１００から音声信号を受信して、通話部６５であるスピーカに出力する。
【００１９】
図３は、実施の形態１に係る情報表示装置１００の機能構成例を示す図である。情報表示装置１００は、配信情報取得部１１、配信情報記憶部１２、映像取得部１３、操作取得部１４、表示部１５、表示指示部１６、音声送受信部１７、及び通話部１８を備える。
【００２０】
情報表示装置１００には、図示しない有線または無線による通信インタフェースを備えており、通信インタフェースは戸内ネットワーク３に通信可能に接続されている。配信情報取得部１１は、外部ネットワーク５、ゲートウェイ４、戸内ネットワーク３、及び通信インタフェースを介して情報配信サーバ２から住宅Ｈに向けて配信された情報である配信情報を取得し、取得した配信情報は、配信情報記憶部１２に一旦記憶される。配信情報は、例えばＴＣＰ／ＩＰプロトコルを含む。情報配信サーバ２は、住宅Ｈ向けの配信情報に含まれるＴＣＰ／ＩＰアドレスに住宅Ｈを識別できるアドレスを指定して、配信する。情報配信サーバ２は、配信情報更新の都度、更新された情報を住宅Ｈに配信してもよいし、情報配信サーバ２または住宅Ｈが定めた一定期間ごとに配信してもよい。配信情報取得部１１は、配信情報に含まれるＴＣＰ／ＩＰアドレスから、自身（情報表示装置１００）が配置された住宅Ｈに向けて配信された配信情報であるかどうかを判別して、自身が配置された住宅Ｈに向けて配信された配信情報を取得する。
【００２１】
映像取得部１３は、信号線Ｌを介してドアホン６から伝送された映像信号を取得する。操作取得部１４は、操作ボタン、タッチパネル、又はタッチパッド等から構成され、例えば、住宅Ｈの居住者である情報表示装置１の操作者の操作入力を取得し、その操作信号を表示指示部１６および音声送受信部１７に送信する。
【００２２】
表示部１５は、液晶表示器等で構成され、表示指示部１６からの指示に応じて、操作者が操作入力するためのボタン画像、映像取得部１３が取得するドアホンから伝送される映像信号に基づく映像を含む通話画面、および配信情報記憶部１５に記憶される配信情報を含む配信情報閲覧画面を表示する。なお、操作取得部１４がタッチパネル又はタッチパッドで構成される場合、操作取得部１４と表示部１５とは一体で構成されていてもよい。
【００２３】
表示指示部１６は、操作取得部１４からの操作信号、または信号線Ｌを介してドアホン６が送信するドアホン６の使用者からの呼出信号を受信し、操作信号または呼出信号に応じて表示部１５が表示する画面を決定し、表示部１５に画面を表示するよう指示する。
【００２４】
通話部１８は、情報表示装置１００の操作者がドアホン６の使用者と通話するためのスピーカ、マイクなどで形成される。音声送受信部１７は、信号線Ｌを介してドアホン６と音声信号を送受信する。音声送受信部１７は、操作取得部１４からの操作信号を受信し、受信した操作信号に応じて、情報表示装置１００とドアホン６との通話を開始又は終了する。音声送受信部１７は、操作取得部１４から通話開始の操作信号を受信した場合には、通話部１８のマイクで集音された音声信号を信号線Ｌに送信し、信号線Ｌから受信した音声信号をスピーカに送信する。音声送受信部１７は、操作取得部１４から通話終了の操作信号を受信した場合には、信号線Ｌを介した音声信号の送受信を遮断する。
【００２５】
次に実施の形態１に係る情報表示装置１００が行う処理について、図４および図５を参照して説明する。図４は、実施の形態１に係る配信情報記憶処理の一例を示すフローチャートであり、図５は、実施の形態１に係る情報表示処理の一例を示すフローチャートである。情報表示装置１００の制御プログラムは、情報表示装置１００の電源を入れると起動し、配信情報記憶処理および情報表示処理を並列に実行させ、情報表示装置１００の電源を切ると終了する。
【００２６】
図４の配信情報記憶処理について説明する。ステップＳ１００において、配信情報取得部１１は、戸内ネットワーク３から配信情報が入力されたか否かを判断する。配信情報が入力されると、ステップＳ１０１において、配信情報取得部１１は、配信情報に含まれるＴＣＰ／ＩＰアドレスに基づいて、自身が配置された住宅Ｈに向けた配信情報であるか否かを判断する。配信情報取得部１１が配信情報に含まれるＴＣＰ／ＩＰアドレスに基づいて、自身が配置された住宅Ｈに向けた配信情報であると判断した場合には、その配信情報を取得し、ステップＳ１０２において、取得した配信情報を配信情報記憶部１２に記憶させる。ステップＳ１０２において、配信情報取得部１１は、配信情報記憶部１２に配信情報を記憶させると、ステップＳ１００に戻り、以降は情報表示装置１００の制御プログラムが終了するまでフローを繰り返す。ステップＳ１００において、配信情報取得部１１に戸内ネットワーク３から配信情報が入力されない場合、または、ステップＳ１０１において、配信情報取得部１１が配信情報に含まれるＴＣＰ／ＩＰアドレスに基づいて、自身が配置された住宅Ｈに向けた配信情報でないと判断した場合もステップＳ１００に戻り、情報表示装置１００の制御プログラムが終了するまでフローを繰り返す。
【００２７】
次に図５の情報表示処理について説明する。ステップＳ１０４において、表示指示部１６は、例えば、住宅Ｈの来訪者であるドアホン６の使用者がドアホン６の呼出ボタンを操作することによってドアホン６の呼出送信部６４からの呼出信号を受信したか否か判断する。表示指示部１６は、ステップＳ１０４において、呼出送信部６４からの呼出信号を受信したと判断した場合、ステップＳ１０５において、呼出信号に応じて通話開始前の画面を表示するよう表示部１５に指示する。
【００２８】
図６は、実施の形態１に係る情報表示処理により表示部１５が表示する通話開始前の画面の例である。ステップＳ１０５において、表示部１５は、図６に示すように、ドアホン６の撮像部６１で撮影され映像送信部６２を介して映像取得部１３が取得したドアホン６から伝送される映像信号に基づくドアホン６の使用者の映像１６１と、ドアホン６の使用者と通話を開始するための通話開始ボタン１６２とを含む通話開始前の画面１６０ａを表示する。操作取得部１４は、通話開始ボタン１６２が接触されると、通話開始の操作入力を取得する。図６では、通話開始ボタン１６２をタッチパネルで構成する例を示しているが、これに限らず、情報表示装置１００に別途専用のボタンを配設してもよい。ステップＳ１０５において、表示部１５が通話開始前の画面１６０ａを表示した後、ステップＳ１０６において、操作取得部１４は住宅Ｈの居住者である情報表示装置１００の操作者が通話開始ボタン１６２に接触することによって通話開始の操作入力を取得したか否かを判断する。ステップＳ１０６において、操作取得部１４が通話開始の操作入力を取得したと判断した場合、操作取得部１４は、通話開始の操作信号を表示指示部１６および音声送受信部１７に送信する。図５に示す情報表示処理には示していないが、ステップＳ１０６において、音声送受信部１７が操作取得部１４から通話開始の操作信号を受信すると、音声送受信部１７は通話部１８であるマイクで集音された音声信号を信号線Ｌに送信し、信号線Ｌから受信した音声信号を通話部１８であるスピーカに送信する。ステップＳ１０６において、操作取得部１４が通話開始の操作入力を取得していないと判断した場合、ステップＳ１０５に戻り、表示指示部１６は、表示部に通話開始前の画面１６０ａを表示するよう指示し、表示部１５は、表示指示部１６の指示にしたがって、通話開始前の画面１６０ａを表示する。
【００２９】
ステップＳ１０６において、表示指示部１６は、操作取得部１４から通話開始の操作信号を受信すると、ステップＳ１０７において、通話開始の操作信号に応じて、通話中の画面を表示するよう表示部１５に指示する。図７は、実施の形態１に係る情報表示処理により表示部１５が表示する通話中の画面の例である。ステップＳ１０７において、表示部１５は、図７に示すように、図６と同様にドアホン６の使用者の映像１６１と、ドアホン６の使用者との通話を終了するための通話終了ボタン１６３とを含む通話中の画面１６０ｂを表示する。表示部１５は、ドアホン６の使用者の映像１６１を図６に示す通話開始前の画面１６０ａ、または図７に示す通話中の画面１６０ｂのいずれかに表示し、通話開始前の画面１６０ａおよび通話中の画面１６０ｂを通話画面とする。ステップＳ１０７に続いて、表示指示部１６は、ステップＳ１０８において、重畳画面を表示するよう表示部１５に指示する。
【００３０】
図８は、実施の形態１に係る情報表示処理により表示部１５が表示する重畳画面の例である。ステップＳ１０８において、表示指示部１６は、配信情報記憶部１２に記憶された配信情報を閲覧するための配信情報閲覧画面１６４を、通話画面の１つである通話中の画面１６０ｂの一部に重ねた重畳画面１６０ｃを表示するよう表示部１５に指示する。ステップＳ１０８において、表示部１５は、表示指示部１６からの指示を受けると、重畳画面１６０ｃを表示する。ステップＳ１０８において、操作者は、ドアホン６の使用者との通話中に、使用者の映像１６１を確認しながら、同時に配信情報閲覧画面１６４を閲覧する。
【００３１】
図８には、配信情報の一例として、電力供給会社などから、情報表示装置１００が配置された住宅Ｈの地域の電力使用予測値が配信され、配信情報閲覧画面１６４に表示される例を示している。なお、図５に示す情報表示処理では、表示指示部１６がステップＳ１０６において、操作取得部１４から通話開始の操作信号を受信すると、ステップＳ１０７において表示部１５に通話中の画面１６０ｂを表示させたのち、ステップＳ１０８において配信情報閲覧画面１６４を通話中の画面１６０ｂの一部に重ねた重畳画面１６０ｃを表示させる例を示しているが、表示指示部１６は、ステップＳ１０５において、配信情報閲覧画面１６４を通話前の画面１６０ａの一部に重ねるよう表示部１５に指示してもよい。その場合、図６において、操作者がドアホン６の使用者との通話を開始するよりも前に、配信情報を閲覧することができる。
【００３２】
情報表示システム１０００が複数の情報配信サーバ２を含み、配信情報取得部１１がそれぞれの情報配信サーバ２から異なる配信情報を取得する場合、配信情報取得部１１は、取得した複数の配信情報を区別して配信情報記憶部１２に記憶させてもよい。その場合、表示指示部１６は、ステップＳ１０８において、配信情報記憶部１２に記憶された複数の配信情報のリストおよび、複数の配信情報のリストからいずれかを選択する操作ボタンを表示するよう表示部１５に指示し、表示部１５が表示した複数の配信情報のリストのうち、操作者によっていずれかが選択されると、操作取得部１４が、選択操作を取得し、表示指示部１６に配信情報選択の操作信号を送信するようにしてもよい。表示指示部１６は、配信情報選択の操作信号を受信すると、配信情報選択の操作信号に応じて、選択された配信情報を閲覧するための配信情報閲覧画面を表示するよう表示部１５に指示する。表示部１５は、表示指示部１６からの指示にしたがって、選択された配信情報を閲覧するための配信情報閲覧画面を表示する。
【００３３】
ステップＳ１０９において、通話中に、操作者による配信情報閲覧画面１６４上のいずれかの位置を起点とするスワイプ操作が行われると、操作取得部１４は、スワイプ操作入力を取得し、配信情報閲覧画面１６４の表示位置を移動させる方向および量を含むスワイプ操作信号を表示指示部１６に送信する。表示指示部１６は、ステップＳ１０９において、操作取得部１４からスワイプ操作信号を受信すると、ステップＳ１１０において、スワイプ操作信号に含まれる配信情報閲覧画面１６４の表示位置を移動させる方向および量に応じて、配信情報閲覧画面１６４の表示位置を移動させるよう表示部１５に指示する。表示部１５は、表示指示部１６の指示に応じて、配信情報閲覧画面１６４の表示位置を移動させる。
【００３４】
図９は、実施の形態１に係る情報表示処理により表示部１５が配信情報閲覧画面１６４の表示位置を移動させる重畳画面の例である。図９（ａ）は、表示部１５が配信情報閲覧画面１６４の表示位置を移動させる前の重畳画面１６０ｄ、図９（ｂ）は、表示部１５が配信情報閲覧画面１６４の表示位置を移動させた後の通話中の画面１６０ｅである。図９（ａ）に示すように、来訪者であるドアホン６の使用者の身長や、使用者の立つ位置などによっては、表示部１５が表示する配信情報閲覧画面１６４によって使用者の姿が隠れる場合がある。操作者は、使用者の映像１６１をみながら、配信情報閲覧画面１６４上のいずれかの位置を起点としてスワイプ操作を行うと、操作取得部１４から受信したスワイプ操作信号に含まれる配信情報閲覧画面１６４の表示位置の移動方向および量に応じて、表示部１５が配信情報閲覧画面１６４の表示位置を移動させ、図９（ｂ）に示すように使用者の姿が隠れない位置に配信情報閲覧画面１６４を表示することができる。
【００３５】
また、ステップＳ１１１において、通話中に、操作者による配信情報閲覧画面１６４上のいずれかの位置を起点とするピンチイン操作またはピンチアウト操作が行われると、操作取得部１４は、ピンチイン操作入力またはピンチアウト操作入力を取得し、配信情報閲覧画面１６４の表示サイズを縮小させるピンチイン操作幅を含むピンチイン操作信号、または配信情報閲覧画面１６４の表示サイズを拡大させるピンチアウト操作幅を含むピンチアウト操作信号を表示指示部１６に送信する。ステップＳ１１２において、表示指示部１６は、操作取得部１４からピンチイン操作信号またはピンチアウト操作信号を受信すると、ピンチイン操作幅またはピンチアウト操作幅に応じて、配信情報閲覧画面１６４を現在の表示サイズから、縮小または拡大して表示させるよう表示部１５に指示する。表示部１５は、表示指示部１６の指示に応じて、配信情報閲覧画面１６４の表示サイズを縮小または拡大させる。
【００３６】
図１０は、実施の形態１に係る情報表示処理により表示部１５が配信情報閲覧画面１６４の表示サイズを拡大させる重畳画面の例である。図１０（ａ）は、表示部１５が配信情報閲覧画面１６４の表示サイズを拡大させる前の重畳画面１６０ｅ、図９（ｂ）は、表示部１５が配信情報閲覧画面１６４の表示サイズを拡大させた後の重畳画面１６０ｆである。操作者は、通話中の画面１６０ｅにおいて、配信情報閲覧画面１６４の表示を詳細に閲覧したい場合、来訪者であるドアホン６の使用者の映像１６１をみながら、配信情報閲覧画面１６４のピンチアウト操作を行うと、操作取得部１４から受信したピンチアウト操作信号に含まれるピンチアウト操作幅に応じて、表示部１５が配信情報閲覧画面１６４の表示サイズを拡大させ、図１９（ｂ）に示すように使用者の姿が隠れない位置まで配信情報閲覧画面１６４を拡大して表示することができる。
【００３７】
ステップＳ１１３において、操作者が通話終了ボタン１６３に触れることによって、操作取得部１４が通話終了の操作入力を取得した場合通話終了の操作信号を表示指示部１６に送信する。操作取得部１４から通話終了の操作信号を受信した表示指示部１６は、ステップＳ１１４において、通話終了の操作信号に応じて、表示部１５に重畳画面１６０ｃの表示を終了するよう指示する。表示部１５は、表示指示部１６からの指示にしたがって、重畳画面１６０ｃの表示を終了する。操作者の通話終了ボタン１６３への接触がなく、ステップＳ１１３において、操作取得部１４が通話終了の操作入力を取得していないと判断した場合、ステップＳ１０９に戻り、表示部１５は、重畳画面１６０ｃの表示を継続する。
【００３８】
ステップＳ１０４において、表示指示部１６がドアホン６の呼出送信部６４からの呼出信号を受信していない場合、または、ステップＳ１１４において、表示部１５が重畳画面１６０ｃの表示を終了すると、ステップＳ１０４に戻り、情報表示装置１００の制御プログラムが終了するまでフローを繰り返す。
【００３９】
以上で説明したように、実施の形態１に係る情報表示装置１００によれば、外部の情報配信サーバから自身が配置された住宅Ｈに向けて配信される配信情報を取得する配信情報取得部１１と、配信情報取得部１１が取得した配信情報を記憶する配信情報記憶部１２と、住宅Ｈに設置されたドアホン６から伝送される映像信号を取得する映像取得部１３と、操作者の操作入力を取得する操作取得部１４と、映像取得部１３が取得した映像信号に基づく映像を含み、ドアホン６と通話するための通話画面を表示する表示部１５と、操作取得部１４から通話を開始させる通話開始の操作信号を受信した場合には、配信情報記憶部１２に記憶された配信情報を閲覧するための配信情報閲覧画面を通話画面の一部に重ねた重畳画面を表示するよう表示部１５に指示する表示指示部１６と、を備えるので、情報配信サーバ２から住宅Ｈに設置される情報表示装置１００に配信される情報のユーザによる見逃しを低減することができる。
【００４０】
また、実施の形態１に係る情報表示装置１００によれば、表示指示部１６は、操作取得部１４から配信情報閲覧画面１６４のいずれかの位置を起点とし、配信情報閲覧画面１６４の表示位置を移動させるためのスワイプ操作信号を受信した場合に、スワイプ操作信号に含まれる表示位置を移動させる方向および量に応じて、配信情報閲覧画面１６４の表示位置を移動させるよう表示部１５に指示するので、来訪者であるドアホン６の使用者の姿が隠れない位置に配信情報閲覧画面１６４を表示することができる。
【００４１】
また、実施の形態１に係る情報表示装置１００によれば、表示指示部１６は、操作取得部１４から配信情報閲覧画面１６４のいずれかの位置を起点とし、配信情報閲覧画面１６４の表示サイズを縮小させるためのピンチイン操作信号を受信した場合に、ピンチイン操作信号に含まれるピンチイン操作の幅に応じて、配信情報閲覧画面１６４の表示サイズを縮小させるよう表示部１５に指示し、操作取得部１４から配信情報閲覧画面１６４のいずれかの位置を起点とし、配信情報閲覧画面１６４の表示サイズを拡大させるためのピンチアウト操作信号を受信した場合に、ピンチアウト操作信号に含まれるピンチアウト操作の幅に応じて、配信情報閲覧画面１６４の表示サイズを拡大させるよう表示部１５に指示するので、来訪者であるドアホン６の使用者の姿が隠れない位置まで配信情報閲覧画面１６４を拡大表示または縮小表示することができる。また、セールスマンなど、操作者にとって好ましくない使用者との通話中に、ピンチアウト操作により表示部１５に配信情報閲覧画面１６４を大きく表示させて、操作者の気を紛らわせることもできるし、操作者が重要な使用者と通話する際には、ピンチイン操作により表示部１５に配信情報閲覧画面１６４を小さく表示させれば、操作者が配信情報を意識せず対応できる。また、表示指示部１６が操作取得部１４から通話開始の操作信号を受信することにより表示部１５が配信情報閲覧画面１６４を表示するので、配信情報を閲覧するための操作者の格別の操作が不要となる。
【００４２】
（実施の形態２）
上述の実施の形態１では、配信情報取得部１１は、配信情報を情報配信サーバ２から配信されたタイミングで取得して、配信情報記憶部１２に記憶しておき、操作取得部１４が操作者の通話開始の操作入力を取得すると、表示指示部１６が配信情報記憶部１２に記憶された配信情報を閲覧するための配信情報閲覧画面１６４を表示するよう表示部１５に指示していた。実施の形態２に示す情報表示装置１０１は、操作取得部１４が操作者の通話開始の操作入力を取得すると、配信情報取得部１１が情報配信サーバ２に情報配信要求を発行し、情報配信サーバ２から最新の配信情報を取得し、取得した配信情報を配信情報記憶部１２に記憶してもよい。そして、配信情報記憶部１２に記憶された最新の配信情報を閲覧するための配信情報閲覧画面１６４を表示するよう表示部１５に指示してもよい。このように構成される実施の形態２に示す情報表示装置１０１について以下に説明する。
【００４３】
実施の形態２に係る情報表示システム１０００の構成は、実施の形態１と同じであり、構成要素の説明を省略する。図１１は、実施の形態２に係る情報表示装置１０１の機能構成例を示す図である。情報表示装置１０１の構成は、実施の形態１の情報表示装置１００と同じである。ただし、
操作取得部１４は、通話開始の操作入力を取得すると、通話開始の操作信号を配信情報取得部１１に送信し、配信情報取得部１１は、情報配信サーバ２から得た配信情報を配信情報記憶部１２に記憶すると、記憶完了信号を表示指示部１６に通知する。
【００４４】
図１２は、実施の形態２に係る情報表示処理の一例を示すフローチャートである。図１２に示す情報表示処理には、図４で説明した実施の形態１における配信情報記憶処理を含んでおり、配信情報記憶処理を並列に実行させる必要がない。図１２において、ステップＳ１０４からステップＳ１１４までの処理は、図５で説明したステップＳ１０４からステップＳ１１４までと同じ処理である。
【００４５】
ステップＳ１０６において、表示指示部１６は、操作取得部１４から通話開始の操作入力を受信すると、ステップＳ１０７において、通話開始の操作信号に応じて、通話中の画面１６０ｂを表示するよう表示部１５に指示するとともに、ステップＳ１２２において、配信情報取得部１１が情報配信サーバ２に情報配信要求を発行する。ステップＳ１２２において、情報配信サーバ２は、情報処理装置１００が配置された住宅Ｈからの情報配信要求を受け取ると、当該住宅Ｈ向けの配信情報を当該住宅Ｈに配信する。
【００４６】
ステップＳ１２３において、配信情報取得部１１は、情報配信サーバ２から配信された情報を外部ネットワーク５、ゲートウェイ４、及び戸内ネットワーク３を介して取得して、配信情報記憶部１２に一旦記憶する。ステップＳ１２３において、配信情報取得部１１が取得した配信情報を配信情報記憶部１２に記憶し終えると、配信情報取得部１１は、記憶完了信号を表示指示部１６に送信する。ステップＳ１０８において、表示指示部１６は、配信情報取得部１１から記憶完了信号を受信すると、重畳画面１６０ｃを表示するよう表示部１５に指示する。表示部１５は、表示指示部１６の指示に応じて、最新の配信情報を閲覧するための配信情報閲覧画面１６４を、通話中の画面１６０ｂの一部に重ねた重畳画面１６０ｃを表示する。
【００４７】
以上のように、実施の形態２に係る情報表示装置１０１によれば、配信情報取得部１１が操作取得部１４から通話開始の操作信号を受信した場合に、外部の情報配信サーバ２から住宅Ｈに向けて配信される配信情報を取得するので、情報表示装置１００の操作者は、情報配信サーバ２から最新の配信情報を取得して、閲覧することができる。また、操作者がドアホン６の使用者と通話する機会、すなわち配信情報を閲覧する機会に配信情報取得部１１が情報配信サーバ２から配信情報を取得するので、閲覧される機会がない可能性のある配信情報を住宅Ｈに配信することがなく、ネットワークリソースを無駄に消費するのを防ぐことができる。
【００４８】
図１３は、本発明の実施の形態１および実施の形態２に係る情報表示装置１００、１０１のハードウェア構成例を示す図である。情報表示装置１００、１０１は、プロセッサ５１、メモリ５２、タッチパネル５３、マイク５４、スピーカ５５、ディスプレイ５６で構成されている。情報表示装置１００、１０１における操作取得部１４は、タッチパネル５４であり、通話部１８は、マイク５４、スピーカ５５である。情報表示装置１００、１０１における配信情報取得部１１、映像取得部１３、表示指示部１６および音声送受信部１７の各機能は、プロセッサ５１により実現される。プロセッサ５１は、メモリ５２に格納されるプログラムを実行するＣＰＵ（Ｃｅｎｔｒａｌ  Ｐｒｏｃｅｓｓｉｎｇ  Ｕｎｉｔ）である。情報表示装置１００、１０１における配信情報記憶部１２もメモリ５２により実現され、メモリ５２には、プロセッサ５１が実行するプログラムと、配信情報とが記憶される。情報表示装置１００、１０１における表示部１５は、ディスプレイ５６であり、ディスプレイ５６は、必要に応じて、表示のためのプロセッサを備えていてもよい。配信情報取得部１１、映像取得部１３、表示指示部１６および音声送受信部１７の各機能は、ソフトウェア、ファームウェア、またはソフトウェアとファームウェアとの組み合わせにより実現される。ソフトウェアやファームウェアはプログラムとして記述され、メモリ５２に格納される。プロセッサ５１は、メモリ５２に記憶されたプログラムを読み出して実行することにより、各部の機能を実現する。すなわち、情報表示装置１００、１０１は、プロセッサ５１により実行されるときに、配信情報取得部１１、映像取得部１３、表示指示部１６および音声送受信部１７を制御するステップが結果的に実行されることになるプログラムを格納するためのメモリ５２を備える。
【００４９】
また、これらのプログラムは、配信情報取得部１１、映像取得部１３、表示指示部１６および音声送受信部１７の手順や方法をコンピュータに実行させるものであるともいえる。ここで、メモリとは、例えば、ＲＡＭ、ＲＯＭ、フラッシュメモリ、ＥＰＲＯＭ、ＥＥＰＲＯＭなどの、不揮発性または揮発性の半導体メモリや、磁気ディスク、フレキシブルディスク、光ディスク、コンパクトディスク、ミニディスク、ＤＶＤ等が該当する。
図１３では、プロセッサ５１およびメモリ５２をそれぞれ一つで構成する例を示しているが、複数のプロセッサおよび複数のメモリが連携して上記機能を実行してもよい。
【００５０】
その他、前記のハードウェア構成やフローチャートは一例であり、任意に変更および修正が可能である。
【００５１】
プロセッサ５１、メモリ５２で構成される配信情報記憶処理や情報表示処理を行う配信情報取得部１１、配信情報記憶部１２、映像取得部１３、表示指示部１６および音声送受信部１７の各機能を実現する中心となる部分は、専用のシステムによらず、通常のコンピュータシステムを用いて実現可能である。たとえば、前記の動作を実行するためのプログラムを、コンピュータが読み取り可能なＣＤ−ＲＯＭ、ＤＶＤ−ＲＯＭなどの記録媒体に格納して配布し、前記プログラムをコンピュータにインストールすることにより、上述の各機能を実現することができるコンピュータを構成してもよい。そして、各機能をＯＳ（Ｏｐｅｒａｔｉｎｇ  Ｓｙｓｔｅｍ）とアプリケーションとの分担、またはＯＳとアプリケーションとの協同により実現する場合等には、ＯＳ以外の部分のみを記録媒体に格納してもよい。
【００５２】
さらに、搬送波に各プログラムを重畳し、通信ネットワークを介して配信することも可能である。例えば、通信ネットワーク上の掲示板（ＢＢＳ，Ｂｕｌｌｅｔｉｎ  Ｂｏａｒｄ  Ｓｙｓｔｅｍ）に当該プログラムを掲示し、ネットワークを介して当該プログラムを配信してもよい。そして、これらのプログラムを起動し、ＯＳの制御下で、他のアプリケーションプログラムと同様に実行することにより、上述の処理を実行できるように構成してもよい。
【００５３】
以上、本発明の好ましい実施形態について説明したが、本発明は係る特定の実施形態に限定されるものではなく、本発明には、特許請求の範囲に記載された発明とその均等の範囲が含まれる。
【符号の説明】
【００５４】
１０００  情報表示システム、  １００，１０１  情報表示装置、  １１  配信情報取得部、  １２  配信情報記憶部、  １３  映像取得部、  １４  操作取得部、  １５  表示部、  １６  表示指示部、  １７  音声送受信部、  １８  通話部、  ２  情報配信サーバ、  ３  戸内ネットワーク、  ４  ゲートウェイ、  ５  外部ネットワーク、  ６  ドアホン、  ６１  撮像部、  ６２  映像送信部、  ６３  操作取得部、  ６４  呼出送信部、  ６５  通話部、  ６６  音声送受信部、  ５１  プロセッサ、  ５２  メモリ、  ５３  タッチパネル、  ５４  マイク、  ５５  スピーカ、  ５６  ディスプレイ。
【図１】
2017212672.tif 000003
【図２】
2017212672.tif 000004
【図３】
2017212672.tif 000005
【図４】
2017212672.tif 000006
【図５】
2017212672.tif 000007
【図６】
2017212672.tif 000008
【図７】
2017212672.tif 000009
【図８】
2017212672.tif 000010
【図９】
2017212672.tif 000011
【図１０】
2017212672.tif 000012
【図１１】
2017212672.tif 000013
【図１２】
2017212672.tif 000014
【図１３】
2017212672.tif 000015